(57)【要約】【課題】  ディスク媒体の状態を迅速にかつ消費電力を抑えて確認できるようにする。【解決手段】  ディスクを回転駆動させること無くディスクの挿入の有無やディスクに記録された情報を記憶メモリから確認することができるようにしたので、ディスクを回転させるのに必要な電力を抑え、ディスクに記録された情報およびディスクの挿入の有無を確認するのに時間がかからないようにすることが可能となる。【選択図】  図１
2006309826.tif 000002
【特許請求の範囲】
【請求項１】
装置の電源を任意に投入及び切断指示可能な電源スイッチ手段と、
前記電源スイッチ手段によって電源が投入された状態において、装着されたディスク状記録媒体に対する情報データ、及び前記情報データの記録状態に関する管理情報を記録再生する記録再生手段と、
前記記録再生手段により前記ディスク状記録媒体から再生された管理情報に基づいて前記装着されているディスク状記録媒体に関するディスク情報を検出する検出手段と、
前記検出手段により検出されたディスク情報を記憶媒体に記憶する記憶手段と、
前記電源スイッチ手段によって電源が切断された状態において、前記記憶媒体に記憶されたディスク情報を保持する記憶保持手段と、
前記記憶媒体に保持されているディスク情報を表示装置に表示することを指示することが可能な指示手段と、
前記指示手段による指示に応じて、前記記憶媒体に保持されているディスク情報を前記表示装置に表示させる制御手段とを有することを特徴とする記録再生装置。
【請求項２】
前記ディスク状記録媒体を回転駆動させる駆動機構と、
前記駆動機構によって回転駆動されるディスク状記録媒体の半径方向に移動しながらデータの書き込み及び読み出しを実行するピックアップ手段とを有し、
前記制御手段は、前記電源が切断された状態においては、前記指示手段による指示に応じて、前記駆動機構及び前記ピックアップ手段を用いずに、前記ディスク情報を前記表示装置に表示させることを特徴とする請求項１に記載の記録再生装置。
【請求項３】
前記記録再生手段は、前記電源スイッチ手段による電源投入に応じて、前記駆動機構により前記ディスク状記録媒体を回転駆動させるとともに前記ピックアップ手段によって前記ディスク状記録媒体から前記管理情報を読み出し、
前記記憶手段は、前記記録再生手段により読み出された管理情報に基づいて新たに検出されたディスク情報を記憶することを特徴とする請求項１または２に記載の記録再生装置。
【請求項４】
前記記録再生手段は、前記電源が投入された状態において、前記ディスク状記録媒体が新たに装着されたことに応じて、前記駆動機構により前記ディスク状記録媒体を回転駆動させるとともに、前記ピックアップ手段によって前記ディスク状記録媒体から前記管理情報を読み出し、
前記記憶手段は、それまで保持していたディスク情報を消去し、前記記録再生手段により読み出された管理情報に基づいて新たに検出されたディスク情報を記憶することを特徴とする請求項１または２に記載の記録再生装置。
【請求項５】
前記記憶媒体は不揮発性メモリであることを特徴とする請求項１〜４の何れか１項に記載の記録再生装置。
【請求項６】
前記電源スイッチ手段による電源投入指示により第１の電源部から電力を供給する第１の電源手段と、
前記電源が切断された状態において、第２の電源部から電力を供給する第２の電源手段とを有し、
前記記憶媒体は、前記第２の電源手段によって電力が供給されることにより前記ディスク情報を保持することを特徴とする請求項１〜５の何れか１項に記載の記録再生装置。
【請求項７】
前記制御手段は、前記第２の電源手段によって電力が供給されることにより制御することを特徴とする請求項６に記載の記録再生装置。
【請求項８】
前記電源が切断された状態において操作可能な操作部材を有し、
前記制御手段は、前記第２の電源手段によって電力が供給されることにより前記操作部材が操作されたことを検出することを特徴とする請求項６または７に記載の記録再生装置。
【請求項９】
装置の電源を任意に投入及び切断指示可能な電源スイッチ工程と、
前記電源スイッチ工程によって電源が投入された状態において、装着されたディスク状記録媒体に対する情報データ、及び前記情報データの記録状態に関する管理情報を記録再生する記録再生工程と、
前記記録再生工程により前記ディスク状記録媒体から再生された管理情報に基づいて前記装着されているディスク状記録媒体に関するディスク情報を検出する検出工程と、
前記検出工程により検出されたディスク情報を記憶媒体に記憶する記憶工程と、
前記電源スイッチ工程によって電源が切断された状態において、前記記憶媒体に記憶されたディスク情報を保持する記憶保持工程と、
前記記憶媒体に保持されているディスク情報を表示装置に表示することを指示することが可能な指示工程と、
前記指示工程による指示に応じて、前記記憶媒体に保持されているディスク情報を前記表示装置に表示させる制御工程とを有することを特徴とする記録再生方法。
【請求項１０】
前記ディスク状記録媒体を回転駆動させる駆動機構と、
前記駆動機構によって回転駆動されるディスク状記録媒体の半径方向に移動しながらデータの書き込み及び読み出しを実行するピックアップ工程とを有し、
前記制御工程は、前記電源が切断された状態においては、前記指示工程による指示に応じて、前記駆動機構及び前記ピックアップ工程を用いずに、前記ディスク情報を前記表示装置に表示させることを特徴とする請求項９に記載の記録再生方法。
【請求項１１】
前記記録再生工程は、前記電源スイッチ工程による電源投入に応じて、前記駆動機構により前記ディスク状記録媒体を回転駆動させるとともに前記ピックアップ工程によって前記ディスク状記録媒体から前記管理情報を読み出し、
前記記憶工程は、前記記録再生工程により読み出された管理情報に基づいて新たに検出されたディスク情報を記憶することを特徴とする請求項９または１０に記載の記録再生方法。
【請求項１２】
前記記録再生工程は、前記電源が投入された状態において、前記ディスク状記録媒体が新たに装着されたことに応じて、前記駆動機構により前記ディスク状記録媒体を回転駆動させるとともに、前記ピックアップ工程によって前記ディスク状記録媒体から前記管理情報を読み出し、
前記記憶工程は、それまで保持していたディスク情報を消去し、前記記録再生工程により読み出された管理情報に基づいて新たに検出されたディスク情報を記憶することを特徴とする請求項９または１０に記載の記録再生方法。
【請求項１３】
前記記憶媒体は不揮発性メモリであることを特徴とする請求項９〜１２の何れか１項に記載の記録再生方法。
【請求項１４】
前記電源スイッチ工程による電源投入指示により第１の電源部から電力を供給する第１の電源工程と、
前記電源が切断された状態において、第２の電源部から電力を供給する第２の電源工程とを有し、
前記記憶媒体は、前記第２の電源工程によって電力が供給されることにより前記ディスク情報を保持することを特徴とする請求項９〜１３の何れか１項に記載の記録再生方法。
【請求項１５】
前記制御工程は、前記第２の電源工程によって電力が供給されることにより制御することを特徴とする請求項１４に記載の記録再生方法。
【請求項１６】
前記電源が切断された状態において操作可能な操作部材を有し、
前記制御工程は、前記第２の電源工程によって電力が供給されることにより前記操作部材が操作されたことを検出することを特徴とする請求項１４または１５に記載の記録再生方法。
【請求項１７】
装置の電源を任意に投入及び切断指示可能な電源スイッチ工程と、
前記電源スイッチ工程によって電源が投入された状態において、装着されたディスク状記録媒体に対する情報データ、及び前記情報データの記録状態に関する管理情報を記録再生する記録再生工程と、
前記記録再生工程により前記ディスク状記録媒体から再生された管理情報に基づいて前記装着されているディスク状記録媒体に関するディスク情報を検出する検出工程と、
前記検出工程により検出されたディスク情報を記憶媒体に記憶する記憶工程と、
前記電源スイッチ工程によって電源が切断された状態において、前記記憶媒体に記憶されたディスク情報を保持する記憶保持工程と、
前記記憶媒体に保持されているディスク情報を表示装置に表示することを指示することが可能な指示工程と、
前記指示工程による指示に応じて、前記記憶媒体に保持されているディスク情報を前記表示装置に表示させる制御工程とを有する記録再生方法をコンピュータに実行させることを特徴とするコンピュータプログラム。
【請求項１８】
前記請求項１７に記載のコンピュータプログラムを記録したことを特徴とするコンピュータ読み取り可能な記録媒体。
【発明の詳細な説明】
【技術分野】
【０００１】
本発明は、記録再生装置、記録再生方法、コンピュータプログラム、記録媒体に関し、特に、ディスクの挿入の有無やディスクに記録された情報を確認するために用いて好適な技術に関する。
【背景技術】
【０００２】
従来、ＤＶＤなどの光ディスクに対して画像データや音声データを記録する記録再生装置が知られている。この種の記録再生装置においては、光ディスク上の予め決められた領域に対し、光ディスク上のデータの配置や空き領域の情報などを含む管理情報を記録しておき、この管理情報に基づいて光ディスクに対するデータの記録再生を行っている。
【０００３】
通常、管理情報は光ディスクの内周側または外周側の所定領域に記録されている。記録再生装置においては、光ディスク装着時や電源投入時などに、光ディスク上の所定領域に記録されている管理情報を読み出して内部のメモリに記憶した後、記録再生動作に伴って管理情報の内容を更新する。そして、電源切断や光ディスク排出に応じてメモリより管理情報を読み出して光ディスクに記録する。このような記録手段を有する従来例としては、例えば、特許文献１などがある。
【０００４】
【特許文献１】特開平５−１２８５３４号公報
【発明の開示】
【発明が解決しようとする課題】
【０００５】
前述の様に、光ディスクに対してデータを記録再生する装置においては、電源投入時やディスク装着時に、光ディスクより管理情報を読み出す必要があり、記録可能な状態となるまでに非常に多くの時間がかかっていた。例えば、管理情報が光ディスクの内周側と外周側とに記録されていた場合には、情報読み取り用のヘッドを内周側から外周側まで移動させながら管理情報を読み取る必要があるので、一層の時間がかかる。こういった背景の下、記録再生装置に装着されている光ディスクの状態（記録残量など）を知りたい場合に、前述の様に光ディスクから管理情報を再度読み出す必要があり、その都度電源を投入して確認しなければならず、非常に使い勝手が悪かった。
【０００６】
また、電源投入時や光ディスク装着時には、管理情報の読み出しのほか、光ディスク上の予め決められた領域に対して異なるレーザー強度にてデータを試し書きした後、このデータを読み取って最適なレーザー強度の調整処理を行っている。ＤＶＤ−Ｒのような追記型の光ディスクの場合は、一度試し書きに使用した領域は二度と使用することができないため、レーザー強度の調整を行うことができる回数も決められている。ところが前述の様に、光ディスクの状態を確認するために電源を投入することによって、光ディスクに対する試し書きを行ってしまい、試し書き領域を無駄に使用していた。
【０００７】
また、光ディスクの状態を確認するために電源を投入した場合には、光ディスクを所定の回転速度で回転させ、光ビームを照射して管理情報を読み取る必要があるので、その都度無駄な電力を消費することになる。特に、ビデオカメラのようなバッテリー駆動によって作動する装置においては、できるだけ消費電力を少なくすることが望まれており、光ディスクの状態を確認するためだけに装置の電源を投入することは、電力削減の面でも効率的ではなかった。
【０００８】
本発明は前述の問題点にかんがみ、ディスク媒体の状態を迅速にかつ消費電力を抑えて確認できるようにすることを目的としている。
【課題を解決するための手段】
【０００９】
本発明の記録再生装置は、装置の電源を任意に投入及び切断指示可能な電源スイッチ手段と、前記電源スイッチ手段によって電源が投入された状態において、装着されたディスク状記録媒体に対する情報データ、及び前記情報データの記録状態に関する管理情報を記録再生する記録再生手段と、前記記録再生手段により前記ディスク状記録媒体から再生された管理情報に基づいて前記装着されているディスク状記録媒体に関するディスク情報を検出する検出手段と、前記検出手段により検出されたディスク情報を記憶媒体に記憶する記憶手段と、前記電源スイッチ手段によって電源が切断された状態において、前記記憶媒体に記憶されたディスク情報を保持する記憶保持手段と、前記記憶媒体に保持されているディスク情報を表示装置に表示することを指示することが可能な指示手段と、前記指示手段による指示に応じて、前記記憶媒体に保持されているディスク情報を前記表示装置に表示させる制御手段とを有することを特徴とする。
【００１０】
本発明の記録再生方法は、装置の電源を任意に投入及び切断指示可能な電源スイッチ工程と、前記電源スイッチ工程によって電源が投入された状態において、装着されたディスク状記録媒体に対する情報データ、及び前記情報データの記録状態に関する管理情報を記録再生する記録再生工程と、前記記録再生工程により前記ディスク状記録媒体から再生された管理情報に基づいて前記装着されているディスク状記録媒体に関するディスク情報を検出する検出工程と、前記検出工程により検出されたディスク情報を記憶媒体に記憶する記憶工程と、前記電源スイッチ工程によって電源が切断された状態において、前記記憶媒体に記憶されたディスク情報を保持する記憶保持工程と、前記記憶媒体に保持されているディスク情報を表示装置に表示することを指示することが可能な指示工程と、前記指示工程による指示に応じて、前記記憶媒体に保持されているディスク情報を前記表示装置に表示させる制御工程とを有することを特徴とする。
【００１１】
本発明のコンピュータプログラムは、装置の電源を任意に投入及び切断指示可能な電源スイッチ工程と、前記電源スイッチ工程によって電源が投入された状態において、装着されたディスク状記録媒体に対する情報データ、及び前記情報データの記録状態に関する管理情報を記録再生する記録再生工程と、前記記録再生工程により前記ディスク状記録媒体から再生された管理情報に基づいて前記装着されているディスク状記録媒体に関するディスク情報を検出する検出工程と、前記検出工程により検出されたディスク情報を記憶媒体に記憶する記憶工程と、前記電源スイッチ工程によって電源が切断された状態において、前記記憶媒体に記憶されたディスク情報を保持する記憶保持工程と、前記記憶媒体に保持されているディスク情報を表示装置に表示することを指示することが可能な指示工程と、前記指示工程による指示に応じて、前記記憶媒体に保持されているディスク情報を前記表示装置に表示させる制御工程とを有する記録再生方法をコンピュータに実行させることを特徴とする。
【００１２】
本発明記録媒体は、前記に記載のコンピュータプログラムを記録したことを特徴とする。
【発明の効果】
【００１３】
本発明によれば、ディスクの挿入の有無やディスクに記録された情報を記憶メモリから確認することができるようにしたので、ディスクを回転させることなくこれらの情報を入手することができる。これにより、ディスクを回転させるのに必要な電力を不要にすることができるとともに、ディスクに記録された情報及びディスクの挿入の有無を確認するための時間を大幅に短縮することが可能となり、従来の記録再生装置で生じていた大きな問題を解決することができる。
【発明を実施するための最良の形態】
【００１４】
（第１の実施の形態）
以下、図１を参照しながら、本発明にかかる記録再生装置における好適な実施の形態について詳細に説明する。
図１は、本実施の形態における記録再生装置の一例を示すブロック図である。
図１に示すように、記録再生装置はカメラ部３８と、出力部３９と、制御部４０と、記録再生部４１とを備えている。
【００１５】
カメラ部３８は、マイク１と、オーディオ入力処理回路２と、レンズユニット３と、撮像センサとしてのＣＣＤ４と、カメラ映像信号処理回路５と、レンズユニット３を駆動するドライバ６とを備えている。
【００１６】
出力部３９は、映像信号や音声信号を圧縮・伸張処理する圧縮／伸張処理回路７と、オーディオ出力回路８と、音声出力端子９と、表示手段としてのＬＣＤ（液晶ディスプレイ）１０と、映像出力端子１１と、映像表示／出力処理回路１２とを備えている。
【００１７】
制御部４０は、第１のＤ−ＲＡＭ１３と、カメラ側の第１の制御マイコン１４と、フラッシュメモリ１５（第１のＦ−ＲＯＭ）と、内蔵バッテリー１６と、光ディスクの有無を検出する挿抜検出部１７と、不揮発メモリとしての第１のＥＥＰ−ＲＯＭ１８と、インターフェース（Ｉ／Ｆ）回路１９と、装置の電源スイッチ２０と、光ディスクの情報を表示させるためのInfo(Information)ボタン４２と、電圧監視装置４３とを備えている。
【００１８】
記録再生部４１は、記録媒体としての光ディスク２５、光ディスク２５を回転駆動するスピンドルモータ２６、光ディスク２５に対し情報信号の記録または再生を行うピックアップ２７、再生回路２８、記録信号または再生信号の処理を行う信号／制御処理回路２９、第２のＤ−ＲＡＭ３０、ピックアップ２７を光ディスク２５の略半径方向に移動させる送りモータ３１、記録回路３２、Ｓ−ＲＡＭ３３、フラッシュメモリとしての第２のＦ−ＲＯＭ３４、不揮発メモリとしての第２のＥＥＰ−ＲＯＭ３５、スピンドルモータ２６の駆動と、送りモータ３１の駆動と、ピックアップ２７内において対物レンズのフォーカス制御及びトラッキング制御を行うためのアクチュエータ（図示せず）の駆動とを行うアクチュエータドライバ３６、記録再生部の第２の制御マイコン３７とを備えている。
【００１９】
前述した本実施の形態における記録再生装置の構成において、各メモリはそれぞれの特性に合わせて用いられる。例えば、第１のＤ−ＲＡＭ１３と第２のＤ−ＲＡＭ３０は、圧縮／伸張処理回路７の処理データや、第１の制御マイコン１４の処理データなどのデータを一時的に記憶するために用いられる。また、Ｓ−ＲＡＭ３３は、第２の制御マイコン３７の作業用データの一時保管などを行うために用いられる。
【００２０】
第１のＦ−ＲＯＭ１５は、第１の制御マイコン１４を動作するプログラム等を記憶すると共に、光ディスク２５に記録される内容のサムネイル情報、光ディスクの有無や光ディスク２５の種別（ＤＶＤ＋ＲＷ、ＤＶＤ−Ｒなど）、光ディスク２５の記録残量などを記録する。第２のＥＥＰ−ＲＯＭ３５は機構系等の状態情報を保管する。
【００２１】
第１と第２のＦ−ＲＯＭ１５、３２及び第１と第２のＥＥＰ−ＲＯＭ１８、３５はともに、不揮発性の電気的に記録、消去が可能なメモリであり、第１と第２のＦ−ＲＯＭ１５、３２は大容量情報の記憶に用い、第１と第２のＥＥＰ−ＲＯＭ１８、３５は小容量情報の記憶に用いる。
【００２２】
カメラ部３８では、画像情報はドライバ６により駆動されるレンズユニット３を介して、撮像センサとしてのＣＣＤ４において電気信号に変換され、その後、カメラ映像信号処理回路５において映像信号に変換される。一方、音声はマイク１を介して、オーディオ入力処理回路２において音声信号に変換される。そして、変換された映像信号及び音声信号は、出力部３９の圧縮／伸張回路７に出力される。
【００２３】
出力部３９では、前記映像信号と音声信号は、圧縮／伸張処理回路７において、それぞれデジタル映像信号及び音声圧縮信号に変換される。圧縮方式としては、動画を扱うＭＰＥＧ方式や静止画を扱うＪＰＥＧ方式などを用いる。前記圧縮／伸張処理回路７から出力されるデジタル映像信号は、映像表示／出力処理回路１２を介し、表示手段としてのＬＣＤ１０にて表示されるとともに、映像出力端子１１から出力される。また、音声圧縮信号は、オーディオ出力回路８を介して音声出力端子９に出力される。
【００２４】
制御部４０は、電源スイッチ２０がオンになり、電源から所要の電圧、電流が各手段に供給されることにより作動する。第１の制御マイコン１４は、ドライバ６を介してレンズユニット３を制御し、被写体を撮像センサとしてのＣＣＤ４上に画像としてとらえるように制御する。これらの信号は、インターフェース回路１９を介して、記録再生部４１の信号／制御処理回路２９へ送られる。
【００２５】
また、前記第１の制御マイコン１４は、圧縮／伸張処理回路７にて、動画や静止画をデジタル信号に圧縮して第１のＤ−ＲＡＭ１３に一時記憶するように制御する。また、挿抜検出部１７にて、検出された光ディスク２５の有無や電圧監視部４３から送信されてくるバッテリー２３のバッテリー残量、インターフェース（Ｉ／Ｆ）回路１９を通じて伝達される光ディスクの種別や記録残量、光ディスクに記録される内容のサムネイルなどの情報を第１のＦ−ＲＯＭ１５に記憶するよう制御する。
【００２６】
また、Infoボタン４２を監視してInfoボタン４２がＯＮ状態になった際には、第１のＦ−ＲＯＭ１５に記録されたディスク情報を読み出し、ＬＣＤ１０に表示する。さらに充電回路２１を監視して電源状態をチェックしたり、電源スイッチ回路２０を制御したりするなどカメラ部３８の電源処理を行う。
【００２７】
内蔵バッテリー１６は、日付・時間などのバックアップ情報の保持や挿抜検出部１７の挿抜検出用電源などとして使用される。挿抜監視部１７は光ディスク２５の挿抜を検出または監視する手段であり、具体的構成としては、例えば、挿入部などに光ディスク２５の挿抜を検出するスイッチを設ける構成がある。該検出スイッチとしては、前記内蔵バッテリー１６、後述するバッテリー２３あるいは、その他、太陽電池などから電力を供給された状態において、電気信号を検出信号として出力するものであってもよいし、記憶機能を有する機械的要素の状態を、電気的センサで検知し、情報を制御手段に伝える構成のものであってもよい。
【００２８】
記録再生部４１では、インターフェース回路１９から入力された動画または静止画情報は、信号／制御処理回路２９と第２のＤ−ＲＡＭ３０において光ディスク２５に応じた記録フォーマットに変換されて、記録回路３２と、ピックアップ２７とを介して光ディスク２５に記録される。
【００２９】
また、該光ディスク２５とピックアップ２７の相対位置については、ピックアップ２７を時分割で再生動作して、光ディスク２５上から予め書き込まれた位置情報が再生回路２８を介して検出され、信号／制御処理回路２９及び第２の制御マイコン３７によって処理される。これにより、スピンドルモータ２６と送りモータ３１、及びピックアップ２７内に設けられたアクチュエータ（図示せず）がアクチュエータドライバ３６を介して駆動される。
【００３０】
Ｓ−ＲＡＭ３３及び第２のＦ−ＲＯＭ３４では、第２の制御マイコン３７の演算データが一時的に記憶されたり、プログラム等が記憶されたりする。また、不揮発メモリとしての第２のＥＥＰ−ＲＯＭ３５では、演算データなどが記憶される。
【００３１】
前記動作は、情報信号記録時の場合であるが、再生時の場合は、ほぼこれらと反対の動作が行われる。すなわち、光ディスク２５からピックアップ２７及び再生回路２８を介して情報が検出され、信号／制御処理回路２９及び第２の制御マイコン３７により光ディスク２５に応じた記録フォーマットが復調される。そして、インターフェース回路１９を介して圧縮／伸張処理回路７へ戻される。ここで、圧縮された映像信号及び音声信号が伸張されて、映像表示／出力処理回路１２やオーディオ出力回路８を介して、表示手段１０、音声出力端子９及び映像出力端子１１に出力される。
【００３２】
さらに、本実施の形態における記録再生装置では、電源部として、外部電源入力端子２２を有し、外部からの電源供給を受けられるようになっている。また、該外部電源入力端子２２を介して、外部電源により充電回路２１を駆動してバッテリー２３の充電を行うことができるようになっている。
【００３３】
外部電源が供給されているときは、外部電力はＤＣ−ＤＣコンバータ２４で所要の電圧に変換されて各ブロックに供給され、外部電源が接続されていないときには、バッテリー２３からの電力がＤＣ−ＤＣコンバータ２４を介して各ブロックへ供給される。
【００３４】
また、光ディスク２５の種別としては、例えば、再生専用ディスクとしてＤＶＤ−ＲＯＭ、追記型光ディスクとしてＤＶＤ−Ｒ、書き換え可能な光ディスクとしてＤＶＤ−ＲＷ及びＤＶＤ−ＲＡＭなどがある。また、Infoボタン４２は電源スイッチ２０がオフでバッテリー２３からの電源供給が無い場合にも使用でき、Infoボタン４２が押されることでＬＣＤ１０に本ディスク装置に挿入されている光ディスク２５の記録内容、光ディスク２５の種別や記録残量など、あるいは光ディスク２５が挿入されていないことが表示される。
【００３５】
ＬＣＤ１０に表示される具体的な情報は、本記録再生装置に挿入されている光ディスク２５の記録内容、光ディスク２５の種別や記録残量、あるいは光ディスク２５の有無、バッテリー残量といった情報などが挙げられる。以下、Infoボタン４２が押された際にＬＣＤ１０に表示される情報をメディア情報と呼ぶこととする。
【００３６】
電圧監視装置４３は、バッテリー２３のバッテリー容量を監視するためのものであり、使用者により記録再生装置の電源が切断された時、バッテリー２３を消耗して電源が切れる前、あるいは一定時間ごとにその時のバッテリー２３の電池残量を検出し、第１の制御マイコン１４に算出した電池残量を送信する。
【００３７】
図２は、本実施の形態の記録再生装置の記録媒体としての光ディスク２５における管理情報のデータ構造の一例を示す図である。本実施の形態では、光ディスク２５上に記録されているデータの記録位置などを示すファイル管理情報２０１と、光ディスク２５上の記録不能なセクタを示す欠陥管理情報２０２とを光ディスク２５に対して記録再生する。
【００３８】
図２に示すように、ファイル管理情報２０１と欠陥管理情報２０２は、それぞれ光ディスク２５の内周側領域と外周側領域とに分けて記録されている。各領域には反対側の領域と同一内容の欠陥管理情報２０２とファイル管理情報２０１とが記録されている。
【００３９】
本実施の形態では、ＤＶＤ−ＲＡＭディスクで、内周側領域中には、２個の欠陥管理情報記録領域と１個のファイル管理情報記録領域とが設けられ、外周側領域中にも、２個の欠陥管理情報記録領域と１個のファイル管理情報記録領域とが同様に設けられている。計４個の欠陥管理情報記録領域に記録された欠陥管理情報２０２は互いに同じ内容であり、計２個のファイル管理情報記録領域に記録されたファイル管理情報２０１も互いに同じ内容となっている。
【００４０】
このように、複数箇所（複数領域）に同一内容の管理情報を置くことにより、データ再生の信頼性を上げ、指紋やゴミなどによる記録や再生に対する影響を受けにくいようにしている。
【００４１】
かかる構成の光ディスク２５により記録または再生を行う場合には、記録または再生動作に先立って、当該光ディスク２５に関する前記４箇所（４個の記録領域）の欠陥管理情報（第１の管理情報）２０２を読みに行く必要がある。欠陥管理情報２０２の読み込みは記録再生装置が光ディスク２５を使用する準備として行う。
【００４２】
以下、記録再生装置の準備が完了した状態をＲＥＡＤＹ状態と呼ぶこととする。そして、図３、図４、図５及び図７に示す「ＲＥＡＤＹ」はこの状態を意味するものとする。通常のシステムでは、ＲＥＡＤＹになった後、ＤＶＤに規定されているファイルシステムに従ってデータの読み込みを行う時に光ディスク２５内の２箇所（２個の記録領域）のファイル管理情報（第２の管理情報）２０１を読み込む。
【００４３】
図３は、本実施の形態の記録再生装置における電源投入から記録再生開始までの処理手順の一例を示すフローチャートである。
図３において、ステップＳ５０にて前記操作スイッチ２０により装置の電源を投入し、次に、ステップＳ５１にて光ディスク２５が装置に装着されているか否かを判定する。
【００４４】
この判定の結果、光ディスク２５が装着されていたときは、ステップＳ５２に進み、前記スピンドルモータ２６を回転させる。ステップＳ５１の判定の結果、光ディスク２５が装着されていなかったら、そのまま終了する。
【００４５】
ステップＳ５２でスピンドルモータの回転速度が所定の値に達した後、ステップＳ５３へ進み、前記ピックアップ２７、アクチュエータドライバ３６などの各種オフセットを調整する。その後、ステップＳ５４へ進み、前記ピックアップ２７上でレーザーを発光させる。
【００４６】
次に、ステップＳ５５にて、フォーカス制御への引き込みを行い、ディスク記録面に前記レーザー光を絞り込んで微小スポットを形成させる。次に、ステップＳ５６にて、前記微小スポットを光ディスク２５の半径方向に制御して光ディスク２５上のトラックに位置決めするトラッキング制御への引き込みを行う。
【００４７】
そして、ステップＳ５７にて前記フォーカス及びトラッキング制御のゲイン調整を行った後、ステップＳ５８へ進み、内周側の２箇所にある欠陥管理情報（第１の管理情報（ＤＭＡ））２０２を読み込む。次に、ステップＳ５９にて、内周側で記録テストを行った後、ステップＳ６０へ進み、外周側にシークする。その後、ステップＳ６１に進み、外周側で記録テストを行う。そして、ステップＳ６２にて外周側の２箇所にある第１の管理情報２０２を読み込む。
【００４８】
読み込んだ前記ステップＳ５０〜ステップＳ６２までの準備シーケンスは、内周側領域及び外周側領域における全部の第１の管理情報２０２を再生する方式のため、高信頼性の再生結果を得られるが、記録再生装置が再生可能になるまでの起動時間が長くなる。
【００４９】
ステップＳ５０〜ステップＳ６２までの準備シーケンスを終えることでディスク装置はＲＥＡＤＹ状態になっている。続いてステップＳ６３にて、ファイルシステムに従ってデータの読み込みを行う時に光ディスク２５内の２箇所（２個の記録領域）のファイル管理情報（第２の管理情報）２０１の読み込みを開始する。
【００５０】
そして、ステップＳ６４にて、第２の管理情報２０１に基づいて前述のメディア情報を検出し、内蔵バッテリー１６で常に電源供給されている第１の制御マイコン１４内のメモリや不揮発性メモリ上に保存する。
【００５１】
図４は、本実施の形態の記録再生装置におけるメディア情報の記録手順の一例を示すフローチャートである。
図４において、処理が開始されると、開けられていたディスク挿入口の蓋がステップＳ７０にて閉じられる。
【００５２】
次に、ステップＳ７１にて記録再生装置内の光ディスク２５の有無を確認する。この確認の結果、光ディスク２５が有ると確認された場合には、ステップＳ７２に進み、第１の制御マイコン１４内のメモリや不揮発性メモリに記録されているメディア情報と光ディスク２５の情報との比較を行う。この比較を行った結果、ディスクが交換された場合や、以前と同じディスクであっても記録されている情報の変更が行われていた場合には、ステップＳ７３にて、それまで第１の制御マイコン１４内のメモリや不揮発性メモリに記録されているメディア情報に代えて、新たに読み取ったディスク情報を書き込む。
【００５３】
尚、ステップＳ７２の比較で情報の変更が行われていない場合には、そのまま終了する。また、ステップＳ７２の確認の結果、光ディスク２５が無いと判断された場合には、ステップＳＴ７４にて、ディスク装置に光ディスク２５が挿入されていないことを第１の制御マイコン１４内のメモリや不揮発性メモリに記録する。
【００５４】
ただし、メディア情報のうち光ディスク２５の内容、記録残量の記録は情報記録動作が終了した際、光ディスク２５の記録情報が削除された際にも行われるものとする。また、バッテリー残量については使用者により記録再生装置の電源が切断された時、バッテリー２３を消耗して電源が切れる直前、あるいは一定時間ごとにも行われる。勿論、全てのメディア情報を記録残量の記録は情報記録動作が終了した際、光ディスク２５の記録情報が削除された際、バッテリー２３を消耗して電源が切れる前、あるいは一定時間ごとにも行ってもよい。
【００５５】
図５は、本実施の形態の記録再生装置におけるInfoボタン４２が押されてからＬＣＤ１０にメディア情報が表示されるまでの手順の一例を示すフローチャートである。
図５において、ステップＳ８０にてInfoボタン４２が押されると、ステップＳ８１に進み、常時電源供給が行われている外部電源が供給される。次に、ステップＳ８２に進み、第１の制御マイコン１４が起動する。
【００５６】
次に、ステップＳ８３にて、予め第１の制御マイコン１４内のメモリあるいは不揮発性メモリに記録されているメディア情報を読み出す。その後、ステップＳ８４へ進み、映像表示出力回路１２を介してＬＣＤ１０に、これらの情報を表示させる。なお、外部電源がオフの場合にはバッテリー２３から電源供給を行い第１の制御マイコン１４を起動し情報を表示させてもよい。
【００５７】
以上のように本実施の形態によれば、光ディスク２５の有無、光ディスク２５に記録されている内容や種別といった情報を、光ディスク２５を回転駆動せずに確認できる。そのため、光ディスク２５を回転させるための電力消費を削減することができる。また、光ディスク２５に記録された情報や光ディスク挿入有無の確認に時間が多く掛かるといった従来の記録再生装置の問題を解決することができる。
【００５８】
なお、前述の記録再生装置においては、光ディスクを用いた例について説明をしたが、光ディスクの代わりに、ＭＤ（Mini Disk）のようなディスク状の磁気ディスクを用いてもよい。
【００５９】
（本発明に係る他の実施の形態）
前述した本発明の実施の形態における記録再生装置を構成する各手段、並びに記録再生方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００６０】
また、本発明は、例えば、システム、装置、方法、プログラムもしくは記録媒体等としての実施の形態も可能であり、具体的には、複数の機器から構成されるシステムに適用してもよいし、また、一つの機器からなる装置に適用してもよい。
【００６１】
なお、本発明は、前述した実施の形態の機能を実現するソフトウェアのプログラム（実施の形態では図３〜図５に示すフローチャートに対応したプログラム）を、システムあるいは装置に直接、あるいは遠隔から供給し、そのシステムあるいは装置のコンピュータが前記供給されたプログラムコードを読み出して実行することによっても達成される場合を含む。
【００６２】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６３】
その場合、プログラムの機能を有していれば、オブジェクトコード、インタプリタにより実行されるプログラム、ＯＳに供給するスクリプトデータ等の形態であってもよい。
【００６４】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などがある。
【００６５】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【００６６】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６７】
また、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６８】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【００６９】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００７０】
【図１】本実施の形態における記録再生装置の構成例を示すブロック図である。
【図２】本実施の形態の記録再生装置用の光ディスクにおける管理情報のデータ構造の一例を示す図である。
【図３】本実施の形態の記録再生装置における電源投入から記録再生開始までの手順の一例を示すフローチャートである。
【図４】本実施の形態の記録再生装置におけるメディア情報の記録手順の一例を示すフローチャートである。
【図５】本実施の形態の記録再生装置におけるメディア情報が表示されるまでの手順の一例を示すフローチャートである。
【符号の説明】
【００７１】
１  マイク
２  オーディオ入力処理回路
３  レンズユニット
４  ＣＣＤ
５  カメラ映像信号処理回路
６  ドライバ
７  圧縮／伸張処理回路
８  オーディオ出力回路
９  音声出力端子
１０  ＬＣＤ
１１  映像出力端子
１２  映像表示／出力処理回路
１３  第１のＤ−ＲＡＭ
１４  第１の制御マイコン
１５  第１のＦ−ＲＯＭ
１６  内蔵バッテリー
１７  挿抜検出部
１８  第１のＥＥＰ−ＲＯＭ
１９  インターフェース回路
２０  電源スイッチ
２１  充電回路
２２  外部電源入力端子
２３  バッテリー
２４  ＤＣ−ＤＣコンバータ
２５  光ディスク
２６  スピンドルモータ
２７  ピックアップ
２８  再生回路
２９  信号／制御処理回路
３０  第２のＤ−ＲＡＭ
３１  送りモータ
３２  記録回路
３３  Ｓ−ＲＡＭ
３４  第２のＦ−ＲＯＭ
３５  第２のＥＥＰ−ＲＯＭ
３６  アクチュエータドライバ
３７  第２の制御マイコン
３８  カメラ部
３９  出力部
４０  制御部
４１  記録再生部
４２  Infoボタン
４３  電圧監視部
【図１】
2006309826.tif 000003
【図２】
2006309826.tif 000004
【図３】
2006309826.tif 000005
【図４】
2006309826.tif 000006
【図５】
2006309826.tif 000007